(57)【要約】【課題】ディスプレイがオフであっても、アプリケーションの終了、通信の完了などの結果が分かるようにする。【解決手段】ＰＤＡ１０に結果表示ＬＥＤ３８や外部デバイスに結果表示ＬＥＤを設け、アプリケーションの終了や通信の終了を検出し、指定された表示パターンで点灯または点滅させることによりアプリケーションや通信の完了を通知する。【選択図】　図３
2004038610.tif 000002
【特許請求の範囲】
【請求項１】
電子機器本体と、
前記電子機器本体に設けられた第１の表示手段および第２の表示手段と、
前記電子機器本体への入力が所定の時間行われない場合、前記第１の表示手段をオフにして前記電子機器本体の消費電力を抑制する消費電力制御手段と、
前記第１の表示手段がオフ中に所定のアプリケーションの処理結果を前記第２の表示手段により通知する通知手段と
を具備したことを特徴とする電子機器。
【請求項２】
前記第１の表示手段がＬＣＤパネルで構成され、前記第２の表示手段がＬＥＤで構成されることを特徴とした請求項１記載の電子機器。
【請求項３】
前記所定のアプリケーションは電子メールソフトであることを特徴とする請求項１記載の電子機器。
【請求項４】
前記電子メールソフトは所定の間隔でメールサーバに接続して自装置宛のメールを受信し、前記第１の表示手段がオフ中であっても、その受信結果を第２の表示手段により通知することを特徴とする請求項３記載の電子機器。
【請求項５】
前記第２の表示手段は、前記電子機器本体に着脱可能なデバイスに設けられることを特徴とする請求項１記載の電子機器。
【請求項６】
前記所定のアプリケーションは通信制御アプリケーションであり、当該アプリケーションによって通信が完了したときに送信したデータ量が所定の量を越えていると、正常に完了したことを前記第２の表示手段により通知することを特徴とする請求項５記載の電子機器。
【請求項７】
電子機器への入力が所定の時間行われないと、前記電子機器の本体に設けられた第１の表示手段をオフにして消費電力を抑制し、
前記第１の表示手段がオフであってもアプリケーションの処理結果が第２の表示手段により通知される
ことを特徴とする電子機器の消費電力制御方法。
【請求項８】
前記電子機器は所定の間隔でメールサーバに接続して自装置宛のメールを受信し、
メール受信後、受信メールの有無にかかわらず前記メールサーバから切断し、
前記受信メールがあると前記第２の表示手段によりメールを受信したことを通知することを特徴とする請求項７記載の電子機器の消費電力制御方法。
【請求項９】
前記電子機器は通信のプロトコルと所定の送信データ量を記録したテーブルを持ち、
通信が完了すると前記通信のプロトコルに従って前記送信データ量と送信したデータ量を比較し、
前記送信データ量より送信したデータ量が多い場合、正常に終了したと判断し、前記第２の表示手段により通信が完了したことを通知することを特徴とする請求項７記載の電子機器の消費電力制御方法。
【発明の詳細な説明】
【０００１】
【発明の属する技術分野】
この発明は、携帯情報端末などにおける一連の処理の完了を通知する電子機器および電子機器の消費電力制御方法に関する。
【０００２】
【従来の技術】
ＰＤＡ（Ｐｅｒｓｏｎａｌ　Ｄｉｇｉｔａｌ　Ａｓｓｉｓｔａｎｔｓ）などの電子機器は、動作電源として電池を使用しており、電池の消耗を防ぐため、所定の時間操作が行われないと表示画面をオフにするなどの方法により消費電力の制御を行っている。しかし、消費電力を節約するために表示画面をオフにするまでの所定の時間以上の処理時間がかかる処理を内蔵プロセッサに実行させた場合、処理中に表示画面がオフになるため、ユーザは処理状況を表示画面により確認することができない。このためユーザは、表示画面を常にオンにしておくか、あるいはボタン等を時々操作して表示画面をオンにして、表示画面に表示されている内容により内蔵プロセッサの処理状況を確認する必要があり、必然的に消費電力が増えるため、電子機器の動作時間が短くなる問題があった。
【０００３】
また、無線通信デバイスなどでは、このデバイスに設置されているＬＥＤを点灯あるいは点滅させて通信中であるかどうかを知らせている。
【０００４】
しかしながら、アプリケーションソフトウェアによる自動処理の結果を確認する場合、表示画面を常にオンにすると消費電力が増えるため電子機器を長時間使用することができず、また表示画面をオフにすると通信などの結果がタイムリーに判別できないため利便性に欠けると言う問題があった。
【０００５】
【発明が解決しようとする課題】
従来の技術では、アプリケーションソフトウェアによる自動処理の結果を確認する場合、表示画面を常にオンにすると消費電力が増えるため電子機器を長時間使うことができず、また表示画面をオフにすると通信などの結果がタイムリーに判別できないため利便性に欠けると言う問題があった。
【０００６】
本発明は、上記問題を解決するためになされたもので、ＰＤＡ等の電子機器や同装置で使うデバイスに処理の完了を通知するための表示手段を設け、該表示手段を使って通知することにより、表示画面がオフであっても処理の完了を通知できる電子機器および電子機器の消費電力制御方法を提供することを目的とする。
【０００７】
【課題を解決するための手段】
前記目的を達成するために本発明の電子機器および電子機器の消費電力制御方法は、電子機器本体と、前記電子機器本体に設けられた第１の表示手段および第２の表示手段と、前記電子機器本体への入力が所定の時間行われない場合、前記第１の表示手段をオフにして前記電子機器本体の消費電力を抑制する消費電力制御手段と、前記第１の表示手段がオフ中に所定のアプリケーションの処理結果を前記第２の表示手段により通知する通知手段とを具備したことを特徴とする。
【０００８】
また本発明の電子機器の消費電力制御方法は、電子機器本体への入力が所定の時間行われないと、前記電子機器の本体に設けられた第１の表示手段をオフにして消費電力を抑制し、前記第１の表示手段がオフであってもアプリケーションの処理結果が第２の表示手段により通知されることを特徴とする。
【０００９】
本発明によれば、表示画面がオフであっても表示器により処理の完了を判断することができるため、処理の状況を確認するために表示画面をオンにする必要が無くなり、消費電力が減り、電子機器本体の動作時間が長くなり利便性が向上する。
【００１０】
【発明の実施の形態】
次に本発明の実施の形態について図面を参照して説明する。
【００１１】
図１は、本発明の第１の実施の形態の構成を示すもので、ここでは電子機器としてＰＤＡの利用形態を示した図である。
【００１２】
図１において１０はＰＤＡ、１１はパーソナルコンピュータ、１２は無線通信カード、１３は無線ＬＡＮ（Ｌｏｃａｌ　Ａｒｅａ　Ｎｅｔｗｏｒｋ）アクセスポイント、１４はルータ、１５はモデムである。
【００１３】
ＰＤＡ１０は、無線通信カード１２を介して無線ＬＡＮアクセスポイント１３に接続し、ルータ１４を介してパーソナルコンピュータ１１とデータの交換やデータの同期を行ったり、ルータ１４とモデム１５を介してＷＡＮ（Ｗｉｄｅ　Ａｒｅａ　Ｎｅｔｗｏｒｋ）と接続することができる。
【００１４】
図２は、本発明の実施の形態におけるＰＤＡの外観を示した図である。
【００１５】
図２において１０はＰＤＡ本体、２１は電源ボタン、２２は電源ＬＥＤ、２３は結果表示ＬＥＤ、２４はタッチスクリーン（表示機能とタブレット機能を持つ）、２５は操作ボタン、２６はスピーカ、２７はスタイラス、２８は拡張用のスロットに挿入されたカードである。
【００１６】
即ち、拡張用のスロットには、ＳＤ（Ｓｅｃｕｒｅ　Ｄｉｇｉｔａｌ）カードやコンパクトフラッシュ（登録商標）カードが挿入され、使用することができるようになっている。これらのカードには、メモリカードや上記無線通信カード１２などのＩＯカードがある。
【００１７】
ユーザは、操作ボタン２５で操作したり、スタイラス２７を使いタッチスクリーン２４をタップしたり、タッチスクリーン２４上で手書き文字の入力などの操作を行う。その認識処理の結果は、タッチスクリーン２４に表示されるとともに、結果表示ＬＥＤ２３の点灯や点滅により通知される。結果表示ＬＥＤ２３の表示パターンは使用するアプリケーションごとに決められる。
【００１８】
図３は、本発明の実施の形態におけるＰＤＡの内部構成の例を示したブロック図である。
【００１９】
図３において３０はＣＰＵ、３１はＦｌａｓｈ　ＲＯＭ、３２はＲＡＭ、３３はタッチスクリーン２４に設けられたディスプレイ、３４はディスプレイコントローラ、３５はＩＯコントローラ、３６は電池、３７はＳＤ　インターフェース、３８は結果表示ＬＥＤ、３９はタッチスクリーン２４上に設けられたタブレット、４０はＡＳＩＣ、４１は操作ボタンである。
【００２０】
ＣＰＵ３０は、ＰＤＡ１０の動作を制御するために設けられたもので、Ｆｌａｓｈ　ＲＯＭ３１に記憶されたオペレーティングシステムやアプリケーションプログラムを実行する。Ｆｌａｓｈ　ＲＯＭ３１は、ＰＤＡ１０を動作させるためのオペレーティングシステム（図示せず）やアプリケーションプログラム（図示せず）やデータなどを記憶している。ＲＡＭ３２は、Ｆｌａｓｈ　ＲＯＭ３１に記憶されたオペレーティングシステムやアプリケーションプログラムが動作する際の作業域やデータを一時保存するための領域として使用される。
【００２１】
ディスプレイコントローラ３４は、ディスプレイ３３の表示を制御するために設けられたものである。ＩＯコントローラ３５は、拡張用のＩＯスロットに挿入されるカードとの間の入出力を制御する。ＳＤ　インターフェース３７は、ＩＯコントローラ３５によって制御され、ＳＤメモリカードやＳＤ　Ｉ／Ｏカードの制御を行う。ＬＥＤ３８は、ＰＤＡ１０上で実行するアプリケーションの状態を通知するために設けられたもので、アプリケーションの制御により所定のパターンで点灯または点滅し、状態を通知する。タブレット３９は、スタイラス２７の操作により入力を行うことができる。
【００２２】
操作ボタン４１は、ＰＤＡ１０の操作を行うために設けられたものである。ＰＤＡ１０の大部分の論理回路は、ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）４０で構成されている。ＡＳＩＣ４０には、更に第１のタイマ４０ａや第２のタイマ４０ｂが設けられている。これらのタイマ４０ａ、４０ｂは、本発明の実施の形態においてはＡＳＩＣ４０内に設けているが、ＡＳＩＣ４０以外の回路ブロックに設けても、ソフトウェアで実現してもよい。電池３６は、ＰＤＡ１０の動作電源を供給するもので、充電式のリチウム電池などが使われる。
【００２３】
次に、本発明の第１の実施の形態の動作を説明する。
【００２４】
図４は、ＰＤＡ１０の電源オン後の処理を示したフローチャートである。
【００２５】
ＰＤＡ１０の電源ボタン２１をオンにすると、ディスプレイ３３がオンとなり（ステップＳ１００）、ＡＳＩＣ４０の第１のタイマ４０ａをリセットする（ステップＳ１０１）。そして、第１のタイマ４０ａをスタートさせて、入力操作の時間監視を開始する（ステップＳ１０２）。次にＰＤＡ１０は、ユーザが操作ボタン４１（図２の操作ボタン２５）またはタブレット３９により入力操作行ったか否か調べる（ステップＳ１０３）。ユーザによるＰＤＡ１０への入力操作が行われると（ステップＳ１０３のＹＥＳ）、ステップＳ１０１に戻り第１のタイマ４０ａをリセットし、再び第１のタイマ４０ａをスタートさせ、同様に入力操作の時間監視を繰り返し実行する。
【００２６】
ユーザがＰＤＡ１０への入力操作を行なっていない時には（ステップＳ１０３のＮＯ）、第１のタイマ４０ａの経過時間を調べ、所定の時間を経過したか否か調べる（ステップＳ１０４）。ユーザがＰＤＡ１０への入力操作を行なっていない時間が所定の時間を経過していなければ（ステップＳ１０４のＮＯ）、ステップＳ１０３に戻る。
【００２７】
一方、ユーザがＰＤＡ１０への入力操作を行なっていない時間が所定の時間を越えると（ステップＳ１０４のＹＥＳ）、第１のタイマ４０ａをリセットし（ステップＳ１０５）、ディスプレイ３３をオフにする（ステップＳ１０６）。そして、ＰＤＡ１０はユーザにより操作ボタン４１またはタブレット３９が操作されたか否か調べる（ステップＳ１０７）。ユーザによりＰＤＡ１０の操作が行われると（ステップＳ１０７のＹＥＳ）、ステップＳ１００に戻る。一方、ユーザによりＰＤＡ１０の操作が行われていない時には（ステップＳ１０７のＮＯ）ステップＳ１０７を繰り返し、ユーザがＰＤＡ１０を操作するまで、ディスプレイ３３をオフした状態で待つ。
【００２８】
図５は、ＰＤＡ１０で電子メールソフトを使用したときの処理を示したフローチャートである。
【００２９】
ユーザは、操作ボタン２５やスタイラス２７でタッチスクリーン２４をタップするなどの方法により電子メールソフトを起動する（ステップＳ１２０）。電子メールソフトは無線通信カード１２を制御してメールサーバー（図示せず）に接続し、メールの送受信を行う（ステップＳ１２１）。そして電子メールソフトは、メールサーバーから自分宛の新規メールを受信すると（ステップＳ１２２のＹＥＳ）、ＰＤＡ１０に設置されているＬＥＤ３８を点灯または点滅（ステップＳ１２３）させてメールの着信を通知し、ステップＳ１２４に進む。一方、新規メールが無い場合（ステップＳ１２２のＮＯ）何もせずステップＳ１２４に進む。
【００３０】
電子メールソフトは、次にメールサーバーから切断（ステップＳ１２４）すると、ＡＳＩＣ４０の第２のタイマ４０ｂをスタートし（ステップＳ１２５）、所定の時間だけ待つ（ステップＳ１２６）。そして、電子メールソフトは、所定の時間を経過すると（ステップＳ１２６のＹＥＳ）、第２のタイマ４０ｂをリセットし（ステップＳ１２７）、ステップＳ１２１に戻り、ユーザが操作しなくても所定の時間間隔でメールサーバに接続し、メールの着信を調べる。
【００３１】
上記電子メールの処理中も図４で示したディスプレイのオン・オフ制御は行われており、ユーザがＰＤＡ１０を操作しない時間が所定の時間を越えるとディスプレイ３３はオフされる。しかし、図５で示すようにＰＤＡ１０は、所定の時間間隔でメールサーバに接続しメールの着信を調べ、新規メールを受信すると結果表示ＬＥＤ３８を点灯または点滅させてメールの着信をユーザに通知することができる。従って、ユーザは、ＰＤＡ１０を操作してディスプレイ３３をオンにしなくてもメールが届いたことを知ることができる。
【００３２】
ここでは電子メールソフトを例に説明したが、ＰＤＡ１０上で動作するアプリケーションであればどのようなアプリケーションに本発明を適用してもよい。また、結果表示ＬＥＤ３８を用いているが、電源ＬＥＤ２２を共用して表示してもよい。
【００３３】
以上説明したように、本発明の第１の実施の形態においてはＰＤＡ１０で実行するユーザの操作不要な処理に時間がかかるアプリケーションを実行させた時に、アプリケーションの実行中にディスプレイ３３がオフになっても、結果表示ＬＥＤ３８によりアプリケーションの完了等が通知されるため、ユーザは従来のようにＰＤＡ１０を時々操作してディスプレイ３３をオンにして結果を見る必要がなくなり、消費電力が減り、ＰＤＡ１０を長時間使用することができる。
【００３４】
続いて本発明の第２の実施の形態について説明する。
【００３５】
本発明の第２の実施の形態では、処理の完了を通知するための表示手段をＳＤカードなどの外部デバイスに設けている。
【００３６】
図６は、本発明の第２の実施の形態におけるＳＤＩＯ　Ｂｌｕｅｔｏｏｔｈ（登録商標）カード５０の内部構成を示した図である。
【００３７】
図６において、５１はＳＤインターフェース、５２はＳＤＩＯ　Ｂｌｕｅｔｏｏｔｈコントローラ、５３はＬＥＤ、５４はアンテナ、５５はＦｌａｓｈ　ＲＯＭ、５６はＣＰＵ、５７はＲＡＭである。
【００３８】
ＳＤインターフェース５１は、ＳＤＩＯ　Ｂｌｕｅｔｏｏｔｈカード５０をホストデバイスと接続するための物理インターフェースで、例えばＰＤＡ１０に設けられたＳＤカードスロットを介してＰＤＡ１０と接続する。ＳＤＩＯ　Ｂｌｕｅｔｏｏｔｈコントローラ５２は、ＳＤインターフェース５１を介してホストデバイスとコマンドやデータのやりとりを行うと共にベースバンド機能やリンクマネージャ等の機能を持ち、アンテナ５４を介して高周波信号の送受信を行う。Ｆｌａｓｈ　ＲＯＭ５５にはＳＤＰ（Ｓｅｒｖｉｃｅ　Ｄｉｓｃｏｖｅｒｙ　Ｐｒｏｔｏｃｏｌ）、ＲＦＣＯＭＭ、ＨＣＩ（Ｈｏｓｔ　Ｃｏｎｔｒｏｌｌｅｒ　Ｉｎｔｅｒｆａｃｅ）等のＢｌｕｅｔｏｏｔｈの各レイヤのソフトウェアおよびＬＡＮ（Ｌｏｃａｌ　Ａｒｅａ　Ｎｅｔｗｏｒｋ）のプロファイルと、図９に示すようなＴＣＰ／ＩＰプロトコル上でアプリケーションごとに決められたポート番号と対応するＬＥＤの点灯パターンを記憶している。これらのデータは、ＰＤＡ１０側のアプリケーションによってＳＤ　インターフェース５１およびＳＤＩＯＢｌｕｅｔｏｏｔｈコントローラ５２を介してＦｌａｓｈ　ＲＯＭ５５に随時書込むことができる。
【００３９】
ＣＰＵ５６は、本ＳＤＩＯ　Ｂｌｕｅｔｏｏｔｈ５０カードを制御するために設けられたものである。
【００４０】
ＲＡＭ５７は、ＣＰＵ５６により使われる領域であり、Ｆｌａｓｈ　ＲＯＭ５５に記憶されているＢｌｕｅｔｏｏｔｈの各レイヤのソフトウェアはＲＡＭ５７にコピーされ、ＣＰＵ５６の制御により実行され、ＰＤＡ１０に対し、ＬＡＮサービスを提供する。ＲＡＭ５７は、これらＢｌｕｅｔｏｏｔｈの各レイヤのソフトウェアの他に作業用の領域として使われる。ＬＥＤ５３は、通信の状態や通信結果を通知するためのもので、通信が完了したときに図９で示すような情報に従い、通信が正常に完了したことをユーザに通知する。
【００４１】
図７は、本発明の第２の実施の形態におけるＳＤＩＯ　Ｂｌｕｅｔｏｏｔｈカードの外観を示した図である。そして、このＳＤＩＯ　Ｂｌｕｅｔｏｏｔｈカード５０の右上に設けられたＬＥＤ５３により通信の状態や通信結果が通知されるようになっている。
【００４２】
図９は、ＴＣＰ／ＩＰプロトコル上でアプリケーションごとに決められたポート番号と対応するＬＥＤの点灯パターンを記憶したテーブルを示した図である。
【００４３】
図９において、６０はＴＣＰ／ＩＰプロトコル上でアプリケーションごとに決められたポート番号、６１は通信が完了したときにＬＥＤ５３を点灯または点滅させるパターン、６２は通信の完了を判断するための指定データ量である。これらのデータは、Ｆｌａｓｈ　ＲＯＭ５５に記憶され、動作しているアプリケーションにより随時書き換えることができる。
【００４４】
図８は、本発明の第２の実施の形態におけるＳＤＩＯ　Ｂｌｕｅｔｏｏｔｈカード５０を用いて通信を行うときのフローチャートである。図１０は、ＴＣＰ／ＩＰプロトコルのＴＣＰヘッダ部の構成を示す図である。図１１はＴＣＰ／ＩＰプロトコルのＩＰヘッダ部の構成を示す図である。以下図６乃至図１１を参照して、本発明の第２の実施の形態の動作を説明する。
【００４５】
通信を行うアプリケーションは、まず通信の完了を確認できるように図９に示すようなＴＣＰ／ＩＰプロトコル上でアプリケーション毎に決められたポート番号、それに対応するＬＥＤ５３の点灯パターンおよび通信の完了を判断するための指定データ量をＳＤ　インターフェース５１およびＳＤＩＯ　Ｂｌｕｅｔｏｏｔｈコントローラ５２を介してＦｌａｓｈ　ＲＯＭ５５に図９で示すようなテーブルに設定する（ステップＳ１３０）。この時、ＳＤＩＯ　Ｂｌｕｅｔｏｏｔｈカード５０のＲＡＭ５７にある送信データ量（図示せず）はクリアされる。そして、アプリケーションの処理を行い、通信を開始する。
【００４６】
ＰＤＡ１０は、まずアンテナ５４を介して通信相手装置とのコネクションを確立する（ステップＳ１３１）。コネクションが確立できなければ（ステップＳ１３１のＮＯ）、コネクション確立（ステップＳ１３１）を繰り返し行う。ＳＤＩＯ　Ｂｌｕｅｔｏｏｔｈカード５０は、コネクションが確立されると（ステップＳ１３１のＹＥＳ）、図１０で示すＴＣＰヘッダから送信元ポート番号６３と送信先ポート番号６４を取得し、ＲＡＭ５７に一次保存する。例えばＨＴＴＰ（ＨｙｐｅｒＴｅｘｔ　Ｔｒａｎｓｆｅｒ　Ｐｒｏｔｏｃｏｌ）では送信元ポート番号６３は“１０２４”〜“６５５３５”間での任意の値であり、送信先ポート番号６４は“８０”に決められている。このように使用するプロトコルによりポート番号が決められている。
【００４７】
次にＳＤＩＯ　Ｂｌｕｅｔｏｏｔｈカード５０は、送信パケットを解析し、図１０で示すＴＣＰヘッダにあるシーケンス番号６５を調べる。シーケンス番号６５が重複している時は（ステップＳ１３４のＹＥＳ）、パケットは再送するパケットであるのでデータ量は計算せずに、ステップＳ１３３に戻り次のパケットの処理を行う。シーケンス番号６５が重複していない時は（ステップＳ１３４のＮＯ）、シーケンス番号６５をＲＡＭ５７に一次保存し（ステップＳ１３５）、図１１で示すＩＰヘッダにあるＩＰパケット長６６をもとにポート番号６０に対応する送信データ量を計算（積算）する（ステップＳ１３６）。
【００４８】
次に、ＳＤＩＯ　Ｂｌｕｅｔｏｏｔｈカード５０は、送信パケットがコネクションクローズ要求であるか否かをしらべ（ステップＳ１３７）、コネクションクローズ要求でなければ（ステップＳ１３８のＮＯ）、ステップＳ１３３に戻り次のパケットの処理を行う。一方、コネクションクローズ要求の場合（ステップＳ１３７のＹＥＳ）、ステップＳ１３２でＲＡＭ５７に一次保存した送信先ポート番号６４に対応する積算した送信データ量（ステップＳ１３６の計算値）と指定データ量６２を比較する（ステップＳ１３８）。そして、指定データ量６２より送信データ量が少なければ（ステップＳ１３８のＮＯ）、まだアプリケーションの処理が残っていると判断し、ステップＳ１３１に戻る。一方、指定データ量６２より送信データ量が多ければ（ステップＳ１３８のＹＥＳ）、アプリケーションによる通信処理が終了したと判断する。そして、ＳＤＩＯ　Ｂｌｕｅｔｏｏｔｈカード５０は、ステップＳ１３２でＲＡＭ５７に一次保存した送信先ポート番号に対応するＬＥＤパターンをＦｌａｓｈ　ＲＯＭ５５から取得し、ＬＥＤ５３を点灯または点滅させる（ステップＳ１３９）。
【００４９】
上記図８で示した通信処理中も、図４で示したディスプレイのオン・オフ制御は行われており、ユーザがＰＤＡ１０を操作しない時間が所定の時間を越えるとディスプレイ３３はオフされる。しかし、ＳＤＩＯ　Ｂｌｕｅｔｏｏｔｈカード５０は図８で示すように通信処理が終了すると、ＬＥＤ５３を点灯または点滅させて通信処理の終了を通知するので、ユーザは、時々ＰＤＡ１０を操作してディスプレイ３３をオンにして通信処理の状況を調べる必要がなくなる。
【００５０】
本発明の第２の実施の形態では、送信データ量により通信の完了を検出しているが、動作しているアプリケーションそのものが結果通知ＬＥＤ５３を点灯または点滅させてもよい。
【００５１】
以上説明したように本発明の第２の実施の形態においては、ユーザは、ＰＤＡ１０で通信を行う際、通信中にディスプレイ３３がオフになっても、ＬＥＤ５３により通信の完了を知ることができるため、ユーザは、時々ＰＤＡ１０を操作してディスプレイ３３をオンにして結果を見る必要がなくなり、消費電力が減り、ＰＤＡ１０を長時間使用することができる。
【００５２】
【発明の効果】
以上説明したように、ユーザは、アプリケーションの終了や通信の終了を調べるために電子機器の表示画面をオンする必用が無くなるので、電子機器の消費電力を低減出来、動作時間を長くすることができる。
【図面の簡単な説明】
【図１】本発明の実施の形態におけるＰＤＡの利用形態を示した図。
【図２】本発明の実施の形態におけるＰＤＡの外観図。
【図３】本発明の実施の形態におけるＰＤＡの内部構成を示したブロック図。
【図４】本発明の実施の形態における表示画面オン、オフに関するフローチャート。
【図５】本発明の実施の形態におけるメール受信に関するフローチャート。
【図６】本発明の第２の実施の形態におけるＳＤＩＯ　Ｂｌｕｅｔｏｏｔｈ通信カードの内部構成を示したブロック図。
【図７】本発明の第２の実施の形態におけるＳＤＩＯ　Ｂｌｕｅｔｏｏｔｈ通信カードの外観図。
【図８】本発明の第２の実施の形態におけるＳＤＩＯ　Ｂｌｕｅｔｏｏｔｈ通信カードを用いた通信処理のフローチャート。
【図９】ポート番号、ＬＥＤパターン、指定データ量を持つテーブルを示した図。
【図１０】ＴＣＰヘッダの一部を示した図。
【図１１】ＩＰヘッダの一部を示した図。
【符号の説明】
１０　ＰＤＡ
１１　パーソナルコンピュータ２
１８、５０　Ｂｌｕｅｔｏｏｔｈ無線通信カード
２１　電源ボタン
２２　電源ＬＥＤ
２３、５３　結果表示ＬＥＤ
２４　タッチスクリーン
２５　操作ボタン
３０、５６　ＣＰＵ
３１、５５　Ｆｌａｓｈ　ＲＯＭ
３２、５７　ＲＡＭ
３３　ディスプレイ
３４　ディスプレイコントローラ
３５　ＩＯコントローラ
３６　電池
３７　ＳＤ　インターフェース
３９　タブレット
４０　ＡＳＩＣ
５２　ＳＤＩＯ　Ｂｌｕｅｔｏｏｔｈコントローラ
５４　アンテナ
【図１】
2004038610.tif 000003
【図２】
2004038610.tif 000004
【図３】
2004038610.tif 000005
【図４】
2004038610.tif 000006
【図５】
2004038610.tif 000007
【図６】
2004038610.tif 000008
【図７】
2004038610.tif 000009
【図８】
2004038610.tif 000010
【図９】
2004038610.tif 000011
【図１０】
2004038610.tif 000012
【図１１】
2004038610.tif 000013